【手続補正書】
【提出日】平成18年2月13日(2006.2.13)
【手続補正１】
【補正対象書類名】明細書
【補正対象項目名】特許請求の範囲
【補正方法】変更
【補正の内容】
【特許請求の範囲】
【請求項１】
発光素子が設けられた複数の画素を有し、前記発光素子の発光時間の差を制御して階調の表現を行う発光装置の駆動方法であって、
映像信号の前記画素への書き込みを行う第１のステップと、
前記書き込まれた映像信号に基づき、前記発光素子を発光、もしくは非発光の状態とする第２のステップと、
前記第２のステップの後、前記発光素子を強制的に非発光の状態とする第３のステップと、
前記発光素子の第１の電極と第２の電極間に、前記発光素子の発光時に、前記発光素子の第１の電極と第２の電極間に印加された順方向バイアス電圧Ｖ１に対してその極性の反転した逆方向バイアス電圧Ｖ２を印加する第４のステップとを有し、
かつ、｜Ｖ１｜≧｜Ｖ２｜とすることを特徴とする発光装置の駆動方法。
【請求項２】
複数の画素を有し、
前記画素はソース信号線、書込用ゲート信号線、消去用ゲート信号線、スイッチング用薄膜トランジスタ、消去用薄膜トランジスタ、駆動用薄膜トランジスタ、発光素子、電流供給線を有し、
前記発光素子の一方は前記駆動用薄膜トランジスタのソース電極またはドレイン電極に、他方は対向電極に接続され、
前記対向電極の電位は前記発光素子に順方向バイアスを印加する時にはＶ１、逆方向バイアスを印加する時にはＶ１に対してその極性を反転したＶ２であり、
前記発光素子の発光時間の差を制御して階調の表現を行う発光装置の駆動方法であって、
前記発光素子に順方向バイアスが印加される期間において、
前記対向電極の電位をＶ１にするステップと、
前記書込用ゲート信号線からパルスが前記スイッチング用薄膜トランジスタのゲート電極に入力され、前記ソース信号線から映像信号を前記スイッチング用薄膜トランジスタのソース電極及びドレイン電極を介して前記駆動用薄膜トランジスタのゲート電極に印加し、前記駆動用薄膜トランジスタをオン又はオフさせるステップと、
前記駆動用薄膜トランジスタがオン時には前記電流供給線から前記駆動用薄膜トランジスタのソース電極及びドレイン電極を介して前記発光素子に電流を流して発光状態にするステップと、
前記駆動用薄膜トランジスタがオフ時には前記電流供給線から前記駆動用薄膜トランジスタのソース電極及びドレイン電極を介して前記発光素子に電流が流れず非発光状態にするステップと、
前記消去用ゲート信号線からパルスが前記消去用薄膜トランジスタのゲート電極に入力され、前記消去用薄膜トランジスタをオンすることによって、前記駆動用薄膜トランジスタのゲートに前記消去用薄膜トランジスタのソース及びドレインを介して前記電流供給線の電位を入力するとともに前記駆動用薄膜トランジスタのソースに前記電流供給線の電位を入力して、前記駆動用薄膜トランジスタをオフにして前記発光素子を非発光状態にするステップと、を有し、
前記発光素子に逆方向バイアスが印加される期間において、
前記対向電極の電位をＶ２にするステップと、
前記消去用ゲート信号線からパルスが前記消去用薄膜トランジスタのゲート電極に入力され、前記消去用薄膜トランジスタをオンすることによって、前記駆動用薄膜トランジスタのゲートに前記消去用薄膜トランジスタのソース及びドレインを介して前記電流供給線の電位を入力するとともに前記駆動用薄膜トランジスタのソースに前記電流供給線の電位を入力して、前記駆動用薄膜トランジスタをオフにして前記発光素子を非発光状態にするステップと、を有し、
前記電流供給線の電位はＶ１よりも高く、Ｖ２よりも低く、
かつ、｜Ｖ１｜≧｜Ｖ２｜とすることを特徴とする発光装置の駆動方法。
【請求項３】
複数の画素を有し、
前記画素はソース信号線、書込用ゲート信号線、消去用ゲート信号線、スイッチング用薄膜トランジスタ、消去用薄膜トランジスタ、駆動用薄膜トランジスタ、発光素子、電流供給線を有し、
前記発光素子の一方は前記駆動用薄膜トランジスタのソース電極またはドレイン電極に、他方は対向電極に接続され、
前記対向電極の電位は前記発光素子に順方向バイアスを印加する時にはＶ１、逆方向バイアスを印加する時にはＶ１に対してその極性を反転したＶ２であり、
前記書込用ゲート信号線は前記発光素子に順方向バイアスを印加する時にはＶ３、逆方向バイアスを印加する時にはＶ４が選択され、
Ｖ３が選択された時には、ゲートドライバのシフトレジスタからの出力パルスが前記書込用ゲート信号線に出力され、Ｖ４が選択された時には、前記スイッチング用薄膜トランジスタがオンとなる電位が、前記書込用ゲート信号線に出力され、
前記発光素子の発光時間の差を制御して階調の表現を行う発光装置の駆動方法であって、
前記発光素子に順方向バイアスが印加される期間において、
前記対向電極の電位をＶ１にするステップと、
前記書込用ゲート信号線はＶ３が選択されるステップと、
前記書込用ゲート信号線からパルスが前記スイッチング用薄膜トランジスタのゲート電極に入力され、前記ソース信号線から映像信号を前記スイッチング用薄膜トランジスタのソース電極及びドレイン電極を介して前記駆動用薄膜トランジスタのゲート電極に印加し、前記駆動用薄膜トランジスタをオン又はオフさせるステップと、
前記駆動用薄膜トランジスタがオン時には前記電流供給線から前記駆動用薄膜トランジスタのソース電極及びドレイン電極を介して前記発光素子に電流を流して発光状態にするステップと、
前記駆動用薄膜トランジスタがオフ時には前記電流供給線から前記駆動用薄膜トランジスタのソース電極及びドレイン電極を介して前記発光素子に電流が流れず非発光状態にするステップと、
前記消去用ゲート信号線からパルスが前記消去用薄膜トランジスタのゲート電極に入力され、前記消去用薄膜トランジスタをオンすることによって、前記駆動用薄膜トランジスタのゲートに前記消去用薄膜トランジスタのソース及びドレインを介して前記電流供給線の電位を入力するとともに前記駆動用薄膜トランジスタのソースに前記電流供給線の電位を入力して、前記駆動用薄膜トランジスタをオフにして前記発光素子を非発光状態にするステップと、を有し、
前記発光素子に逆方向バイアスが印加される期間において、
前記対向電極の電位をＶ２にするステップと、
前記書込用ゲート信号線はＶ４が選択されるステップと、
前記ソース信号線からの電位によって前記駆動用薄膜トランジスタをオンにするステップと、を有し、
前記電流供給線の電位はＶ１よりも高く、Ｖ２よりも低く、
かつ、｜Ｖ１｜≧｜Ｖ２｜とすることを特徴とする発光装置の駆動方法。
【請求項４】
発光素子が設けられた複数の画素を有し、前記発光素子の発光時間の差を制御して階調の表現を行う発光装置の駆動方法であって、
１フレーム期間は、ｎ個（ｎは自然数、２＜ｎ）のサブフレーム期間を有し、
前記サブフレーム期間は、それぞれ、映像信号の画素への書き込みを行うアドレス期間と、前記画素に書き込まれた映像信号に基づき前記発光素子の発光または非発光を制御して表示を行うサステイン期間とを有し、
前記ｎ個のサブフレーム期間より選ばれたｍ個（ｍは自然数、０＜ｍ≦ｎ−１）のサブフレーム期間は、それぞれ、前記サステイン期間の終了後、画素にリセット信号の書き込みを行う、互いに期間の重複しないｍ個のリセット期間と、前記リセット信号が書き込まれた行において前記発光素子の状態を強制的に非発光状態とする、互いに期間の重複しないｍ個の消去期間とを有し、
前記ｍ個のサブフレーム期間より選ばれたｋ個（ｋは自然数、０＜ｋ≦ｍ）のサブフレーム期間は、それぞれ、前記発光素子の発光時に、前記発光素子の第１の電極と第２の電極間に印加されている順方向バイアス電圧Ｖ１に対してその極性の反転した逆方向バイアス電圧Ｖ２を印加する、互いに期間の重複しないｋ個の逆方向バイアス印加期間を有し、
前記アドレス期間、前記サステイン期間、前記リセット期間、前記消去期間および前記逆方向バイアス印加期間は、それぞれが互いに一部重複する期間を有し、
かつ、｜Ｖ１｜≧｜Ｖ２｜とすることを特徴とする発光装置の駆動方法。
【請求項５】
複数の画素を有し、
前記画素はソース信号線、書込用ゲート信号線、消去用ゲート信号線、スイッチング用薄膜トランジスタ、消去用薄膜トランジスタ、駆動用薄膜トランジスタ、発光素子、電流供給線を有し、
前記発光素子の一方は前記駆動用薄膜トランジスタのソース電極またはドレイン電極に、他方は対向電極に接続され、
前記対向電極の電位は前記発光素子に順方向バイアスを印加する時にはＶ１、逆方向バイアスを印加する時にはＶ１に対してその極性を反転したＶ２であり、
前記発光素子の発光時間の差を制御して階調の表現を行う発光装置の駆動方法であって、
１フレーム期間は、ｎ個（ｎは自然数、２＜ｎ）のサブフレーム期間を有し、
前記サブフレーム期間は、それぞれ、映像信号の画素への書き込みを行うアドレス期間と、前記画素に書き込まれた映像信号に基づき前記発光素子の発光または非発光を制御して表示を行うサステイン期間とを有し、
前記ｎ個のサブフレーム期間より選ばれたｍ個（ｍは自然数、０＜ｍ≦ｎ−１）のサブフレーム期間は、それぞれ、前記サステイン期間の終了後、画素にリセット信号の書き込みを行う、互いに期間の重複しないｍ個のリセット期間と、前記リセット信号が書き込まれた行において前記発光素子の状態を強制的に非発光状態とする、互いに期間の重複しないｍ個の消去期間とを有し、
前記ｍ個のサブフレーム期間より選ばれたｋ個（ｋは自然数、０＜ｋ≦ｍ）のサブフレーム期間は、それぞれ、前記対向電極の電位をＶ２に印加する、互いに期間の重複しないｋ個の逆方向バイアス印加期間を有し、
前記アドレス期間、前記サステイン期間、前記リセット期間、前記消去期間および前記逆方向バイアス印加期間は、それぞれが互いに一部重複する期間を有し、
前記電流供給線の電位はＶ１よりも高く、Ｖ２よりも低く、
かつ、｜Ｖ１｜≧｜Ｖ２｜とすることを特徴とする発光装置の駆動方法。
【請求項６】
前記アドレス期間において、
前記書込用ゲート信号線からパルスが前記スイッチング用薄膜トランジスタのゲート電極に入力され、前記スイッチング用薄膜トランジスタをオンにし、前記ソース信号線から前記映像信号を前記スイッチング用薄膜トランジスタのソース及びドレインを介して前記駆動用薄膜トランジスタのゲート電極に印加し、前記駆動用薄膜トランジスタをオン又はオフさせることによって画素への書き込みを行い、
前記サステイン期間において、
前記駆動用薄膜トランジスタがオン時には前記電流供給線から前記駆動用薄膜トランジスタのソース電極及びドレイン電極を介して前記発光素子に電流を流して発光状態にし、
前記駆動用薄膜トランジスタがオフ時には前記電流供給線から前記駆動用薄膜トランジスタのソース電極及びドレイン電極を介して前記発光素子に電流が流れず非発光状態にし、
前記リセット期間において、
前記消去用ゲート信号線からパルスが前記消去用薄膜トランジスタのゲート電極に入力され、前記消去用薄膜トランジスタをオン又はオフさせることによって、画素にリセット信号の書き込みを行い、
前記消去期間において、
前記消去用薄膜トランジスタがオン時には前記駆動用薄膜トランジスタのゲートに前記消去用薄膜トランジスタのソース及びドレインを介して前記電流供給線の電位を入力するとともに前記駆動用薄膜トランジスタのソースに前記電流供給線の電位を入力して、前記駆動用薄膜トランジスタをオフにして前記発光素子を非発光状態にすることを特徴とする請求項５に記載の発光装置の駆動方法。
【請求項７】
請求項２、３、５又は６において、前記スイッチング用薄膜トランジスタ、前記消去用薄膜トランジスタがＮチャネル型薄膜トランジスタであり、
前記駆動用薄膜トランジスタがＰチャネル型薄膜トランジスタであり、
前記発光素子において、前記駆動用薄膜トランジスタのソース電極またはドレイン電極に接続されている側が陽極であり、前記対向電極に接続されている側が陰極であることを特徴とする発光装置の駆動方法。
【請求項８】
請求項１乃至請求項６のいずれか１項において、前記発光素子が発光、もしくは非発光となって画面の表示を行っている期間において、前記順方向バイアス電圧が印加されている発光素子は定電流駆動されることを特徴とする発光装置の駆動方法。
【請求項９】
請求項１乃至請求項８のいずれか１項において、前記順方向バイアス電圧から前記逆方向バイアス電圧への変更は、前記発光素子の前記対向電極のみを変化させることによって行うことを特徴とする発光装置の駆動方法。
【請求項１０】
請求項１乃至請求項９のいずれか１項に記載の発光装置の駆動方法を用いることを特徴とする発光装置。
【手続補正２】
【補正対象書類名】明細書
【補正対象項目名】００７２
【補正方法】変更
【補正の内容】
【００７２】
所望の逆方向バイアス期間Ｔｂ３が終了した時点で、対向電極の電位をＶｃ２からＶｃ１へ切り替える。それと同時に、次のアドレス（書き込み）期間Ｔａ４が開始される。以後、ＳＦ３と同様の動作を繰り返し、ＳＦ４が終了すると、１フレームが終了し、次のフレームへと移る。